(57)【要約】【課題】簡易な構造で且つ安価に自由に遮蔽空間を形成し易い空間遮蔽装置を提供する。【解決手段】一方向に帯状の空気２を放出するプッシュユニット１０と、プッシュユニット１０から放出される空気２の気流方向を変えるコーナーユニット２０と、コーナーユニット２０から放出される空気２を吸気するプルユニット３０と、を備えた空間遮蔽装置Ｓであって、コーナーユニット２０は、プッシュユニット１０から放出される空気２を取り入れる空気取入口２６と、空気取入口２６から取り入れた空気２をブルユニット３０側へと放出する空気放出口２７と、を有する空気通路２５を備え、空気取入口側の空気通路は、前記空気放出口側の空気通路よりも通路径が大きい。【選択図】図２
2016001075.tif 000002
【特許請求の範囲】
【請求項１】
一方向に帯状の空気を放出するプッシュユニットと、前記プッシュユニットから放出される空気の気流方向を変えるコーナーユニットと、前記コーナーユニットから放出される空気を吸気するプルユニットと、を備えた空間遮蔽装置であって、
前記コーナーユニットは、
前記プッシュユニットから放出される空気を取り入れる空気取入口と、前記空気取入口から取り入れた空気を前記プルユニット側へと放出する空気放出口と、を有する空気通路を備え、
前記空気取入口側の空気通路は、前記空気放出口側の空気通路よりも通路径が大きいことを特徴とする空間遮蔽装置。
【請求項２】
前記空気通路は、放出される空気の気流方向を調整する調整手段を備えていることを特徴とする請求項１に記載の空間遮蔽装置。
【請求項３】
前記空気通路は、取り入れた空気が異なる複数の向きに分岐されていることを特徴とする請求項１に記載の空間遮蔽装置。
【請求項４】
前記空気通路は湾曲していることを特徴とする請求項１〜３のいずれか一項に記載の空間遮蔽装置。
【請求項５】
一方向に帯状の空気を放出するプッシュユニットと、前記プッシュユニットから放出される空気の気流方向を変えるコーナーユニットと、前記コーナーユニットから放出される空気を吸気するプルユニットと、を備えた空間遮蔽装置のコーナーユニットであって、
前記コーナーユニットは、
前記プッシュユニットから放出される空気を取り入れる空気取入口と、前記空気取入口から取り入れた空気を前記プルユニット側へと放出する空気放出口と、を有する空気通路を備え、
前記空気取入口側の空気通路は、前記空気放出口側の空気通路よりも通路径が大きいことを特徴とするコーナーユニット。
【発明の詳細な説明】
【技術分野】
【０００１】
本発明は、帯状の空気により所定の空間を遮蔽(仕切る）することが可能な空間遮蔽装置等に関する。
【背景技術】
【０００２】
従来から清浄性が必要とされる空間への塵埃の流入を防止、若しくは所定の空間で発生する汚染物質の外部への流出を防止する目的で用いられる空間遮蔽機構のひとつに帯状気流（以下、「エアーカーテン」と称する。）方式の空間遮蔽装置が知られている（特許文献１参照）。
【０００３】
特許文献１に開示されている空間遮蔽装置は、一又は二方向に帯状の気流を放出可能な略Ｌ字状の支柱を備え、この支柱を所定の空間に１つ又は複数配置することでエアーカーテンによる開放的な遮蔽空間を形成可能となっている。
【先行技術文献】
【特許文献】
【０００４】
【特許文献１】特開２００７−５７１３５号公報
【発明の開示】
【発明が解決しようとする課題】
【０００５】
特許文献１の空間遮蔽装置は、支柱内に帯状の空気を放出するための給気装置が内蔵されているため、支柱は非常に大きな容積を有することとなり、空間内に載置したときに非常に目立つとともに邪魔となる。
【０００６】
また、一方向につき一つの給気装置が必要となるため、空間内を細かく遮蔽する場合、複数の支柱が必要となるとともに、その大きさがネックとなり、空間内に載置可能な数が制限され、自由に遮蔽空間を形成しにくい。
【０００７】
そこで、本発明は上記問題を課題の一例として為されたもので、簡易な構造で且つ安価に自由に遮蔽空間を形成し易い空間遮蔽装置等を提供することを目的とする。
【課題を解決するための手段】
【０００８】
上記課題を解決するために、請求項１に記載の空間遮蔽装置は、 一方向に帯状の空気（２）を放出するプッシュユニット（１０）と、前記プッシュユニットから放出される空気の気流方向を変えるコーナーユニット（２０）と、前記コーナーユニットから放出される空気を吸気するプルユニット（３０）と、を備えた空間遮蔽装置であって、前記コーナーユニットは、前記プッシュユニットから放出される空気を取り入れる空気取入口（２６）と、前記空気取入口から取り入れた空気を前記プルユニット側へと放出する空気放出口（２７）と、を有する空気通路（２５）を備え、前記空気取入口側の空気通路は、前記空気放出口側の空気通路よりも通路径が大きいことを特徴とする。
【０００９】
また、請求項２に記載の空間遮蔽装置は、請求項１に記載の空間遮蔽装置において、前記空気通路は、放出される空気の気流方向を調整する調整手段（７７）を備えていることを特徴とする。
【００１０】
また、請求項３に記載の空間遮蔽装置は、請求項１に記載の空間遮蔽装置において、前記空気通路は、取り入れた空気が異なる複数の向きに分岐されていることを特徴とする。
【００１１】
また、請求項４に記載の空間遮蔽装置は、請求項１〜３のいずれか一項に記載の空間遮蔽装置において、前記空気通路は湾曲していることを特徴とする。
【００１２】
また、請求項５に記載のコーナーユニットは、 一方向に帯状の空気を放出するプッシュユニットと、前記プッシュユニットから放出される空気の気流方向を変えるコーナーユニットと、前記コーナーユニットから放出される空気を吸気するプルユニットと、を備えた空間遮蔽装置のコーナーユニットであって、前記コーナーユニットは、前記プッシュユニットから放出される空気を取り入れる空気取入口と、前記空気取入口から取り入れた空気を前記プルユニット側へと放出する空気放出口と、を有する空気通路を備え、前記空気取入口側の空気通路は、前記空気放出口側の空気通路よりも通路径が大きいことを特徴とする。
【発明の効果】
【００１３】
本発明によれば、簡易な構造で且つ安価にエアーカーテンを形成することが可能である。
【図面の簡単な説明】
【００１４】
【図１】空間遮蔽装置の外観構成を示す模式図である。
【図２】空間遮蔽装置の設置状態を説明するための模式図である。
【図３】プッシュユニットの構成例を示す模式図である。
【図４】コーナーユニットの構成を示し、図４（ａ）は第１実施形態のコーナーユニットの構成例を示す模式図、図４（ｂ）はコーナーユニットにおける空気通路の変形例を示す模式図である。
【図５】第２実施形態の空間遮蔽装置の設置状態を説明するための模式図である。
【図６】第２実施形態の空間遮蔽装置のコーナーユニットの構成を示す模式図である。
【図７】第３実施形態の空間遮蔽装置のコーナーユニットの構成を示し、図７（ａ）は第３実施形態のコーナーユニットの構成例を示す模式図、図７（ｂ）は空気通路の角度調整例を示す模式図である。
【図８】第３実施形態の空間遮蔽装置のコーナーユニットの構成を示し、図８（ａ）は外観を示す模式図、図８（ｂ）は図８（ａ）のＡ部分拡大図である。
【発明を実施するための最良の形態】
【００１５】
以下、本願の実施形態について添付図面を参照して説明する。なお、本実施形態の空間遮蔽装置Ｓを構成するプッシュユニット１０とプルユニット３０は、便宜上、壁Ｗに埋め込まれるタイプの形態として説明を行う。
【００１６】
本実施形態の空間遮蔽装置Ｓは、図１に示すように帯状の空気２により所定の空間を遮蔽(仕切る）するものであって、一方向に帯状の空気２を放出するプッシュユニット１０と、前記プッシュユニット１０から放出される空気２の気流方向を変えるコーナーユニット２０と、コーナーユニット２０から放出される空気２を吸気するプルユニット３０と、を備えている。
【００１７】
そして、例えば、図２に示すように、四方が壁Ｗに囲まれた空間において、前記プッシュユニット１０を１の壁面Ｗ１に設け、このプッシュユニット１０の空気流出口と対面する空間内の所定位置にコーナーユニット２０を設け、このコーナーユニット２０を介して放出される空気放出口と対面する他の壁面Ｗ２にプルユニット３０を設けることで、プッシュユニット１０とコーナーユニット２０間と、コーナーユニット２０とプルユニット３０間に空間を遮蔽するエアーカーテン４０、５０を形成可能となっている。
【００１８】
ブッシュユニット１０は、図１及び図３に示すように、壁Ｗに取り付けられる筐体１０ａを有しており、この筐体１０ａ内には、空気を送風する送風装置としてのブロワ１２が設けられている。このブロア１２は所定の流路１４を介して例えば、筐体１０ａの一面に有し鉛直方向に延びるスリット状の開口１５に連絡されており、図２に示すように、ブロア１２から放出される空気がこの開口１５から一方向に向けて放出され、コーナーユニット２０に向けて帯状の空気２が放出される。この開口１５から放出される帯状の空気２によってプッシュユニット１０とコーナーユニット２０間に第１のエアーカーテン４０を形成し、この第１のエアーカーテン４０を境にして空間Ｈが左右に区分けされる。
【００１９】
コーナーユニット２０は、図１、図２及び図４に示すように、水平断面が略Ｌ字状であって縦長箱型に形成された中空構造の筐体２０ａを備え、内部に空気の流れをガイドする空気通路２５が形成されている。
【００２０】
この筐体２０ａの空気通路２５の両端面にはそれぞれ開口２６、２７を有しており、この２つの開口２６、２７は、それぞれ筐体２０ａの側面に形成されている。
【００２１】
図２に示すように、一方の開口２６は、プッシュユニット１０から放出される空気取入口として機能し、他方の開口２７は、取り込んだ空気を放出する空気放出口として機能する。
【００２２】
また、一方の開口側の空気通路２５ａと他方の開口側の空気通路２５ｂとがなす角度は略直角に形成され、この２つの空気通路２５ａ、２５ｂは内部で連絡されて一体化されている。なお、空気抵抗を考慮すれば、図４（ｂ）に示すように、空気通路２５は、空気抵抗が小さくなるように湾曲して形成されることが好ましい。
【００２３】
そして、このコーナーユニット２０は、プッシュユニット１０から放出された空気を取り込み、プルユニット３０側へと空気を放出するために、取り込んだ空気の気流方向を変える。
【００２４】
すなわち、本実施形態のコーナーユニット２０は、空気通路２５の形状によって、空気の気流方向を自由に変えることができ、本実施形態では、空気通路２５は略直角に曲折しているため、空気を直角に曲げることが可能となっている。
【００２５】
また、一方の開口側の空気通路２５ａは、他方の開口側の空気通路２５ｂよりもその通路径が大きく形成されている。また、放出される空気が広がるのを防止するために、好ましくは、他方の開口側の空気通路２５ｂは、他方の開口側に向かって除々にその幅が狭まるように構成、若しくは、その開口をスリット状とするなど開口の形状を細長くすることが好ましい。
【００２６】
このように本実施形態のコーナーユニット２０は、空気通路２５の空気取入口として機能する一方の開口側が、空気放出口として機能する他方の開口側と比較して大きく形成されていることで外部の空気が取り込みやすくなっている。
【００２７】
図１に示すように、プルユニット３０は、壁Ｗに取り付けられる筐体３０ａを有しており、この筐体３０ａ内には、空気を吸気する吸気装置としてのファン等（図示しない）が設けられている。この吸気装置は、所定の流路を介して、例えば、筐体の一面に有し鉛直方向に延びる略矩形状の開口３５に連絡されており、吸気装置の駆動により当該開口３５付近の外側の空気を吸気する。したがって、この開口３５では、コーナーユニット２０を介してプッシュユニット１０から放出される空気が吸気される。
【００２８】
また、コーナーユニット２０からプルユニット３０に向けて帯状の空気２が放出され、このコーナーユニット２０から放出される空気２によってコーナーユニット２０とプルユニット３０間に第２のエアーカーテン５０を形成し、この第２のエアーカーテン５０を境にして空間Ｈが左右に区分けされる。
【００２９】
次に、本実施形態の空間遮蔽装置Ｓの作用について説明する。
【００３０】
図２に示されるように、本実施形態の空間遮蔽装置Ｓはプッシュユニット１０から帯状の空気２を放出し、この帯状の空気２によって形成されるエアーカーテン４０、５０によって所定の空間Ｈを仕切るものである。図２に示すように、プッシュユニット１０から放出される空気２は、図中矢印に示すように、コーナーユニット２０の一方の開口に向かって直進し、コーナーユニット２０の一方の開口へと導入されることで、プッシュユニット１０とコーナーユニット２０間に第１のエアーカーテン４０が形成される。そして、この空気は、コーナーユニット２０の略直角に曲げられた空気通路２５によって誘導（ガイド）されて出口側へと送られ、当該出口から図中矢印に示すようにプルユニット３０の吸気口に向かって放出されて直進し、プルユニット３０によって吸気されることでコーナーユニット２０とプルユニット３０間に第２のエアーカーテン５０が形成されるとともに、第１及び第２のエアーカーテン４０、５０による空間の遮蔽状態が維持される。
【００３１】
このように本実施形態の空間遮蔽装置Ｓでは、コーナーユニット２０を配置することで一方向に帯状の空気を放出可能な１つのプッシュユニット１０により空気の気流を変えることができるため、所定の空間Ｈにおいて２つのエアーカーテン４０、５０（遮蔽領域）を形成することが可能である。
【００３２】
また、本実施形態の空間遮蔽装置Ｓは、コーナーユニット２０に給気装置を内蔵しないため、軽量、且つスリム化を容易に図ることが可能であり、コーナーユニット２０を所定の空間Ｈに配置したときに見た目をすっきりとした感じにすることができる。また、軽量化を図ることで、運搬作業や設置作業が容易となり、作業者への負担を軽減できる。
【００３３】
次に、図５を参照して、第２実施形態にかかる空間遮蔽装置について説明する。なお、本実施形態の空間遮蔽装置の基本構成は、上記実施形態と同様であるためコーナーユニット６０以外についての説明は省略するものとする。
【００３４】
第２実施形態にかかる空間遮蔽装置は、プッシュユニット１０から放出された空気を向きの異なる２方向に分岐可能であって、１つのプッシュユニット１０で３つの遮蔽部分を形成することができる点で上記実施形態とは異なる。
【００３５】
本実施形態の空間遮蔽装置は、図５に示すように、一方向に帯状の空気を放出するプッシュユニット１０と、前記プッシュユニット１０から放出される空気の気流方向を変えるコーナーユニット６０と、コーナーユニット６０から放出される空気を吸気する２つのプルユニット３０と、を備えている。
【００３６】
そして、例えば、図５に示すように、四方が壁Ｗに囲まれた空間において、前記プッシュユニット１０を１の壁面Ｗ１に設け、このプッシュユニット１０の空気流出口と対面する空間内の所定位置にコーナーユニット６０を設け、このコーナーユニット６０を介して放出される空気放出口と対面する他の２つの壁面Ｗ２、Ｗ３にプルユニット３０、３０をそれぞれ設けることで、プッシュユニット１０とコーナーユニット６０間と、コーナーユニット６０とプルユニット３０間に空間を遮蔽するエアーカーテン４０、５０、５０を形成可能となっている。
【００３７】
本実施形態のコーナーユニット６０は、図５及び図６に示すように、水平断面が略Ｔ字状であって縦長箱型に形成された中空構造の筐体６０ａを備え、内部に空気の流れをガイドする空気通路６５が形成されている。
【００３８】
この空気通路６５は、一方向に延びる空気通路６５ａと、他方向に延びこの空気通路６５ａに連絡する他の空気通路６５ｂ、６５ｃと、を有し、その端面にはそれぞれ開口を有しており、これら３つの開口は筐体６５ａの側面にそれぞれが形成されている。
【００３９】
図５に示すように、空気通路６５ａｃに形成される開口は、プッシュユニット１０から放出される空気取入口として機能し、他の空気通路６５ｂ、６５ｃに形成される２つの開口は、取り込んだ空気を放出する空気放出口として機能する。
【００４０】
また、空気通路６５ａと、他の空気通路６５ｂ、６５ｃとがなす角度は略直角に形成され、この３つの空気通路は内部で連絡されて一体化されている。
【００４１】
そして、このコーナーユニット６０は、プッシュユニット１０から放出された空気を取り込み、コーナーユニット６０によって、２つの空気通路６５ｂ、６５ｃに分岐された上で、プルユニット３０側へと空気が放出される。
【００４２】
また、空気通路６５ａは、他方の空気通路６５ｂ、６５ｃよりもその通路径が大きく形成されており、外部の空気が取り込みやすくなっている。
【００４３】
すなわち、本実施形態のコーナーユニット６０は、プッシュユニット１０から導入された空気を二方向に分岐させる空気通路６５ｂ、６５ｃを有しており、１つのプッシュユニット１０で３つの遮蔽部分を形成することができる。
【００４４】
また、図示しないが、空気通路６５ｂ、６５ｃをさらに複数分岐するようにしても構わない。例えば、二方向に分岐した上で、さらに二方向に分岐させることで、プッシュユニットから放出された空気を４方向に分岐可能であって、１つのプッシュユニット１０で５つの遮蔽部分を形成することができる。
【００４５】
次に、図７を参照して、第３実施形態にかかる空間遮蔽装置について説明する。なお、本実施形態の空間遮蔽装置の基本構成は、上記実施形態と同様であるためコーナーユニット７０以外についての説明は省略するものとする。
【００４６】
第３実施形態にかかる空間遮蔽装置は、コーナーユニット７０による空気の気流方向を調整可能な点で上記実施形態とは異なる。
【００４７】
本実施形態のコーナーユニット７０は、図７に示すように、水平断面が略Ｔ字状であって縦長箱型に形成された中空構造の筐体７０ａを備え、内部に空気の流れをガイドする空気通路７５が形成されている。
【００４８】
この空気通路７５は、一方向に延びる空気通路７５ａと、他方向に延びこの空気通路７５ａに連絡する他の空気通路７５ｂ、７５ｃと、を有し、その端面にはそれぞれ開口を有しており、これら３つの開口は筐体７０ａの側面にそれぞれが形成されている。他の空気通路に形成される開口は、プッシュユニットから放出される空気取入口として機能し、空気通路に形成される２つの開口は、取り込んだ空気を放出する空気放出口として機能する。
【００４９】
また、空気通路７５ａと、他の空気通路７５ｂ、７５ｃとは、角度調整手段として機能する関節部７７を介して連絡している。関節部７７は湾曲した部材が係合したユニットであって、一方の部材に他方の部材が擦動可能に取り付けられることによって、図７（ｂ）に示すように、一方の空気通路７５ａに対して他の空気通路７５ｂ、７５ｃの角度を任意に調整することが可能となっている。
【００５０】
そして、このコーナーユニット７０は、プッシュユニット１０から放出された空気を取り込み、コーナーユニット７０によって、２つの空気通路７５ｂ、７５ｃに分岐された上で、プルユニット３０側へと空気が放出される。
【００５１】
また、空気通路７５ａは、他方の空気通路７５ｂ、７５ｃよりもその通路径が大きく形成されており、外部の空気が取り込みやすくなっている。
【００５２】
すなわち、本実施形態のコーナーユニット７０は、プッシュユニット１０から導入された空気を二方向に分岐させる空気通路７５ｂ、７５ｃを有しており、この空気通路７５ｂ、７５ｃは空気の放出角度を任意に調整可能であって、１つのプッシュユニット１０で３つの遮蔽部分を形成することができる。
【００５３】
また、本実施形態のコーナーユニット７０は、上述したように、任意に空気通路７５ａに対する他の空気通路７５ｂ、７５ｃの角度を調整することができるため、任意に空気の気流方向を調整可能であって自由に遮蔽領域の形態を変更することができ便利である。例えば、図７（ｂ）に示すように、一方の空気通路７５ａに対する他の空気通路７５ｂ、７５ｃの角度を４５度とすることで、所定の空間をＹ字状に遮蔽し、三分割に区分けすることができる。
【００５４】
また、本実施形態の空間遮蔽装置は、帯状の空気によるエアーカーテンの高さを調整可能な点で上記実施形態とは異なる。
【００５５】
本実施形態のコーナーユニット７０の筐体７０ａは、例えば、上下２つの部材７１、７２で構成されており、水平断面において、上部材７１が下部材７２に対して少し小さく形成されており、上部材７１が下部材７２の内側を摺動可能に構成されている。
【００５６】
また、図８（ｂ）に示すように、下部材７２の内側面には、鉛直方向において凹部８１が所定の間隔で設けられており、上部材７１の外側面には、当該凹部８１と係合可能な凸部８２が所定の間隔で設けられている。
【００５７】
そして、下部材７２に対して上部材７１を伸縮して、当該凹部８１に対して凸部８２を係合することで容易にコーナーユニット７０の高さを任意の高さに調整することが可能である。
【００５８】
このように本実施形態のコーナーユニット７０は、所定の空間において、高さ方向の遮蔽領域を容易に調整することができ便利である。
【００５９】
なお、高さ調整のための機構は、従来から公知の技術を用いて構成することができ、例えば、筐体を蛇腹状に構成しても構わない。また、本実施形態では、筐体を２分割しているが、その分割数は特に限定されるものではない。なお、細かく分割することで、筐体７０ａの高さをより小さくすることができるのでコーナユニットを運搬する上では好ましい。
【００６０】
なお、本願は本実施形態に限定されるものではなく、種々の形態にて実施することが可能である。例えば、本実施形態のプッシュユニットやプルユニットは、ブロア、ファン、又は配管等を筐体の内部に収容した構成としているが、別途外部に設けて配管により開口と連絡するようにしても構わない。このようにすれば、プッシュユニットやプルユニットの筐体を薄くすることが可能となり壁面に取り付けやすくなる。
【符号の説明】
【００６１】
Ｓ  空間遮蔽装置
２  空気
１０  プッシュユニット
２０、６０、７０  コーナーユニット
３０  プルユニット
２５  空気通路
２６、２７  開口
【図１】
2016001075.tif 000003
【図２】
2016001075.tif 000004
【図３】
2016001075.tif 000005
【図４】
2016001075.tif 000006
【図５】
2016001075.tif 000007
【図６】
2016001075.tif 000008
【図７】
2016001075.tif 000009
【図８】
2016001075.tif 000010